(57)【要約】【課題】寿命が近くなった通電部材を検出すること。【解決手段】実施形態に係る照明機器は、光源部と、複数の通電部材と、計測部と、積算部と、記憶部とを具備する。複数の通電部材は、交換可能である。計測部は、光源部の点灯状態に関係なく通電部材の通電時間を計測する。積算部は、通電時間を積算して通電部材毎に積算時間を算出する。記憶部は、積算時間を記憶する。【選択図】図２
2018163793.tif 000002
【特許請求の範囲】
【請求項１】
光源部と；
交換可能な複数の通電部材と；
前記光源部の点灯状態に関係なく前記通電部材の通電時間を計測する計測部と；
前記通電時間を積算して前記通電部材毎に通電積算時間を算出する積算部と；
前記通電積算時間を記憶する記憶部と；
を具備することを特徴とする照明機器。
【請求項２】
前記積算部は、前記通電部材が交換された後に、前記通電部材毎に前記通電積算時間を算出する、
ことを特徴とする請求項１に記載の照明機器。
【請求項３】
前記積算部は、リセット信号に応じて、前記通電部材に対応する前記通電積算時間毎にリセットする、
ことを特徴とする請求項１または２に記載の照明機器。
【請求項４】
請求項１〜３のいずれか一つに記載の照明機器と；
前記通電積算時間に基づいた情報を表示する表示部と；
を具備することを特徴とする照明システム。
【請求項５】
前記表示部は、前記通電積算時間に基づいた前記通電部材の寿命情報を表示する、
ことを特徴とする請求項４に記載の照明システム。
【発明の詳細な説明】
【技術分野】
【０００１】
本発明の実施形態は、照明機器および照明システムに関する。
【背景技術】
【０００２】
従来、光源としてＬＥＤ（Light  Emitting  Diode）を用いた照明機器が知られている。このような照明機器では、ハロゲンランプなどの光源を用いた場合よりも光源の寿命が長くなる。
【０００３】
上記照明機器では、光源を点灯させていない場合であっても、基板などの交換可能な通電部材には電力が供給されていることがある。上記照明機器は、光源の寿命が長くなったことで、光源よりも先に通電部材が寿命を迎えることがある。しかしながら、上記照明機器では、このような点については考慮されていない。
【先行技術文献】
【特許文献】
【０００４】
【特許文献１】特開２０１３−１０１９４７号公報
【発明の概要】
【発明が解決しようとする課題】
【０００５】
本発明が解決しようとする課題は、寿命が近くなった通電部材を検出することができる照明機器および照明システムを提供することである。
【課題を解決するための手段】
【０００６】
実施形態に係る照明機器は、光源部と、複数の通電部材と、計測部と、積算部と、記憶部とを具備する。複数の通電部材は、交換可能である。計測部は、光源部の点灯状態に関係なく通電部材の通電時間を計測する。積算部は、通電時間を積算して通電部材毎に積算時間を算出する。記憶部は、積算時間を記憶する。
【図面の簡単な説明】
【０００７】
【図１】図１は、実施形態に係る照明システムの構成の一例を示すブロック図である。
【図２】図２は、実施形態に係る照明機器の機構構成の一例を示すブロック図である。
【図３】図３は、実施形態に係る照明機器の通電積算時間算出処理の一例を示すタイムチャートである。
【図４】図４は、実施形態に係る照明機器による通電積算時間算出処理の手順を示すフローチャートである。
【発明を実施するための形態】
【０００８】
以下で説明する実施形態に係る照明機器１０は、光源部１２と、複数の基板１１、１３、１４（通電部材に相当）と、計測部１８Ｂと、積算部１８Ｃと、記憶部１７とを具備する。基板１１、１３、１４は、交換可能である。計測部１８Ｂは、光源部１２の点灯状態に関係なく基板１１、１３、１４の通電時間を計測する。積算部１８Ｃは、通電時間を積算して基板１１、１３、１４毎に通電積算時間を算出する。記憶部１７は、通電積算時間を記憶する。
【０００９】
また、以下で説明する実施形態に係る積算部１８Ｃは、基板１１、１３、１４が交換された後に、基板１１、１３、１４毎に通電積算時間を算出する。
【００１０】
また、以下で説明する実施形態に係る積算部１８Ｃは、リセット信号に応じて、基板１１、１３、１４に対応する通算積算時間毎にリセットする。
【００１１】
また、以下で説明する実施形態に係る照明システム１は、照明機器１０と、操作卓（表示部に相当）５０とを具備する。操作卓５０は、通電積算時間に基づいた情報を表示する。
【００１２】
また、以下で説明する実施形態に係る操作卓５０は、通電積算時間に基づいて基板１１、１３、１４の寿命情報を表示する。
【００１３】
（実施形態）
図１〜図４を用いて、実施形態に係る照明システム１について説明する。
【００１４】
［実施形態に係る照明システムの構成］
図１は、実施形態に係る照明システム１の構成の一例を示すブロック図である。実施形態に係る照明システム１は、複数の照明機器１０（１０−１〜１０−ｎ）、複数のバトン装置２０（２０−１〜２０−ｎ）、ハブ３０、ノード４０（４０−１〜４０−ｎ）、操作卓５０、分電盤１００を有する。なお、照明システム１に接続される分電盤１００、照明機器１０、バトン装置２０およびノード４０の種別や数などは任意に設定できる。
【００１５】
照明システム１において、照明機器１０は、ＤＭＸ規格に従った通信プロトコルや、ＤＭＸ規格を拡張したＲＤＭ（Remote  Device  Management）規格に沿った通信方式により、バトン装置２０や操作卓５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。なお、照明機器１０としてＤＭＸ規格やＲＤＭ規格に非対応の機器（例えば、ハロゲンランプ）が、バトン装置２０に接続されてもよい。また、照明機器１０は、照明機器１０に電力を伝達する回路６０（６０−１〜６０−ｎ）を介して分電盤１００に接続される。これにより、照明機器１０は、分電盤１００から電力が供給される。
【００１６】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１７】
ノード４０−１〜４０−ｎは、それぞれバトン装置２０−１〜２０−ｎとハブ３０とに接続されており、バトン装置２０−１〜２０−ｎとハブ３０との間の通信を中継する。なお、各ノード４０−１〜４０−ｎは、それぞれバトン装置２０−１〜２０−ｎ内に配置されていてもよいし、バトン装置２０−１〜２０−ｎの外側に配置されていてもよい。
【００１８】
ハブ３０は、イーサネット（登録商標）等の有線または無線によるネットワークによって、操作卓５０と双方向通信が可能な態様で接続され、操作卓５０と各バトン装置２０−１〜２０−ｎとの通信を中継する中継器である。また、ハブ３０は、分電盤１００と双方向通信が可能な態様で接続され、操作卓５０と分電盤１００との間の通信を中継する。
【００１９】
操作卓５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、操作卓５０から制御情報を受信した場合に、制御情報をＤＭＸ規格やＲＤＭ規格に沿った制御信号（例えば、調光信号等）に変換し、制御アドレスが示す照明機器１０に対して制御信号を出力することで、照明機器１０−１〜１０−ｎの制御を行う。このように、操作卓５０は、制御アドレスを用いて、照明機器１０−１〜１０−ｎを遠隔制御する。また、操作卓５０には、詳しくは後述するが、照明機器１０−１〜１０−ｎにおける基板１１、１３、１４毎の通電積算時間（寿命情報）などが表示される。
【００２０】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００２１】
［実施形態に係る照明機器の構成］
続いて、図２を用いて、実施形態に係る照明機器１０−１の機能構成の一例を説明する。図２は、実施形態に係る照明機器１０−１の機構構成の一例を示すブロック図である。なお、以下の説明では、照明機器１０−２〜１０−ｎは、照明機器１０−１と同様の構成および機能を発揮するものとして、説明を省略する。
【００２２】
実施形態に係る照明機器１０−１は、パネル基板１１と、光源部１２と、電源制御基板１３と、調光制御基板１４とを有する。基板１１、１３、１４および光源部１２には、分電盤１００から電力が供給される。
【００２３】
パネル基板１１は、例えば、７セグメントの表示部(不図示)を有し、操作ボタン（不図示）による照明機器１０−１の操作信号を受け付ける。パネル基板１１は、調光制御基板１４を介して分電盤１００から電力が供給される。
【００２４】
光源部１２は、照明機器１０−１が有する光源であり、操作卓５０からの制御情報に基づいたＰＷＭ（Pulse  Width  Modulation）信号に従って照度、照明する範囲、色彩等を制御可能なＬＥＤ等の半導体発光素子により実現される。光源部１２は、複数の原色光源を備えている。具体的には、光源部１２は、赤色、緑色、青色、白色の原色光源を備えている。各原色光源は、１０段階の調光レベルで点灯することができる。なお、光源部１２の調光レベルは、１０段階に限られず、任意の複数段階に設定可能である。光源部１２には、いわゆるハロゲンランプ等が含まれていてもよい。光源部１２は、調光制御基板１４および電源制御基板１３を介して分電盤１００から電力が供給される。
【００２５】
電源制御基板１３は、原色光源毎に複数設けられる。例えば、Ｒ（Red）用の電源制御基板１３と、Ｇ（Green）用の電源制御基板１３と、Ｂ（Blue）用の電源制御基板１３と、Ｗ（White）用の電源制御基板１３が設けられる。電源制御基板１３は、制御部１５を有する。
【００２６】
制御部１５は、原色光源の点灯処理を実行する演算装置であり、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１５は、原色光源の処理手順を規定したプログラムや制御データを格納するための内部メモリを有し、これらによって原色光源の点灯処理を実行する。
【００２７】
制御部１５は、調光制御基板１４から出力されるＰＷＭ信号に基づいて原色光源の照度や、色彩等を制御し、１０段階の調光レベルで原色光源を点灯させることができる。電源制御基板１３は、調光制御基板１４を介して分電盤１００から電力が供給される。
【００２８】
調光制御基板１４は、通信部１６と、記憶部１７と、制御部１８とを有する。通信部１６は、照明機器１０−１と操作卓５０との間の通信を制御する通信装置であり、例えば、ＮＩＣ（Network  Interface  Card）等により実現される。調光制御基板１４は、分電盤１００から電力が供給されると、パネル基板１１、電源制御基板１３および光源部１２に電力を供給する。すなわち、調光制御基板１４に電力が供給されると、パネル基板１１、電源制御基板１３および光源部１２にも電力が供給され、通電状態となり、調光制御基板１４に電力が供給されなくなると、パネル基板１１、電源制御基板１３および光源部１２にも電力が供給されなくなり、非通電状態となる。なお、光源部１２の点灯および調光レベルなどは、制御信号に基づいて制御される。
【００２９】
記憶部１７は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。記憶部１７は、基板１１、１３、１４における通電時間の積算時間である通電積算時間および各原色光源における調光レベル別の点灯時間の積算時間である点灯積算時間を記憶する。
【００３０】
制御部１８は、各種の情報処理を実行する演算装置であり、例えば、ＣＰＵ、ＭＰＵ等の電子回路や、ＡＳＩＣ、ＦＰＧＡ等の集積回路を採用できる。制御部１８は、各種の処理手順を規定したプログラムや制御データを格納するための内部メモリを有し、これらによって種々の処理を実行する。制御部１８は、照明制御部１８Ａと、計測部１８Ｂと、積算部１８Ｃとを有する。
【００３１】
照明制御部１８Ａは、通信部１６を介して受信した制御信号をＰＷＭ信号に変換し、変換後のＰＷＭ信号を電源制御基板１３の制御部１５に出力する。
【００３２】
計測部１８Ｂは、分電盤１００から基板１１、１３、１４に電力が供給されている時間、すなわち基板１１、１３、１４の通電時間を計測する。つまり、計測部１８Ｂは、光源部１２の点灯状態に関係なく基板１１、１３、１４の通電時間を計測することができる。また、計測部１８Ｂは、各原色光源における調光レベル別の点灯時間を計測する。すなわち、計測部１８Ｂは、複数の電源制御基板１３毎に調光レベル別の点灯時間を計測する。
【００３３】
積算部１８Ｃは、計測部１８Ｂによって計測された通電時間を積算して基板１１、１３、１４毎に通電積算時間を算出する。なお、積算部１８Ｃは、複数の電源制御基板１３毎に、通電積算時間を算出する。積算部１８Ｃは、記憶部１７に記憶されている基板１１、１３、１４の各通電積算時間に計測部１８Ｂによって計測された基板１１、１３、１４の通電時間を積算することで、各通電積算時間を更新する。積算部１８Ｃは、更新した各通電積算時間を記憶部１７に記憶させる。なお、積算部１８Ｃは、予め設定された所定周期で通電積算時間を更新してもよい。
【００３４】
また、積算部１８Ｃは、計測部１８Ｂによって計測された点灯時間を積算して各色の調光レベル毎に点灯積算時間を算出する。すなわち、積算部１８Ｃは、複数の電源制御基板１３毎に調光レベル別の点灯積算時間を算出する。積算部１８Ｃは、記憶部１７に記憶されている各点灯積算時間に計測部１８Ｂによって計測された点灯時間を積算することで、各点灯積算時間を更新する。例えば、赤色の調光レベル「２」で光源部１２が点灯している場合、積算部１８Ｃは、記憶部１７に記憶されている、赤色の調光レベル「２」の点灯積算時間に、計測された点灯時間を積算し、赤色の調光レベル「２」の点灯積算時間を更新し、他の原色光源および赤色の他の調光レベルの点灯積算時間は更新しない。積算部１８Ｃは、更新した点灯積算時間を記憶部１７に記憶させる。なお、積算部１８Ｃは、予め設定された所定周期で点灯積算時間を更新してもよい。
【００３５】
積算部１８Ｃは、基板１１、１３のいずれかが交換され、交換された基板１１、１３に対するリセット信号が操作卓５０から出力され、通信部１６によってリセット信号が受信された場合に、交換された基板１１、１３の通電積算時間をリセット信号に応じてリセットする。具体的には、積算部１８Ｃは、交換された基板１１、１３の通電積算時間をゼロにする。積算部１８Ｃは、例えば、パネル基板１１が交換され、パネル基板１１の通電積算時間をリセットする旨のリセット信号が受信された場合に、パネル基板１１の通電積算時間をゼロにする。
【００３６】
また、積算部１８Ｃは、例えば、Ｒ用の電源制御基板１３が交換され、Ｒ用の電源制御基板１３の通電積算時間および点灯積算時間をリセットする旨のリセット信号が受信された場合に、Ｒ用の電源制御基板１３の通電積算時間および点灯積算時間をゼロにする。
【００３７】
なお、調光制御基板１４が交換された場合には、操作卓５０からの制御情報に基づいてパネル基板１１の通電積算時間、電源制御基板１３の通電積算時間および点灯積算時間が記憶部１７に記憶される。その際、積算部１８Ｃは、調光制御基板１４の通電積算時間をリセットする旨のリセット信号が受信された場合に、調光制御基板１４の通電積算時間をゼロにする。また、調光制御基板１４の通電積算時間は、操作卓５０からの制御情報に基づいてパネル基板１１の通電積算時間などが記憶部１７に記憶される際に、リセットされてもよい。
【００３８】
また、ここでは、照明機器１０の通電積算時間をリセットする例を挙げて説明したが、これに限らず、ＲＤＭ規格に対応し、照明システム１に繋がっている各種器具に対してリセット信号を送信し、各種器具において計測される通電積算時間を各種器具毎にリセットすることもできる。すなわち、照明システム１において、積算時間をリセットする対象は照明機器１０に限らず、他の器具であってもよい。
【００３９】
このように、実施形態に係る照明機器１０−１は、交換可能な基板１１、１３、１４毎に通電積算時間を算出し、記憶する。また、照明機器１０−１は、記憶した通電積算時間や点灯積算時間の情報を通信部１６からバトン装置２０−１およびハブ３０を介して操作卓５０に送信する。これにより、操作卓５０に寿命情報として基板１１、１３、１４の通電積算時間や点灯積算時間が表示され、オペレータは、寿命が近くなった基板１１、１３、１４を確認することができる。
【００４０】
そして、寿命が近くなった基板１１、１３、１４がオペレータなどによって交換され、操作卓５０から交換された基板１１、１３、１４についてのリセット信号が出力されると、照明機器１０−１が、交換された基板１１、１３、１４についてのリセット信号を受信し、リセット信号に応じて交換された基板１１の通電積算時間をリセットする。その後は、照明機器１０−１は、交換された基板１１、１３、１４について、新たな通電積算時間を算出し、記憶する。
【００４１】
［通電積算時間算出処理の一例］
続いて、図３を用いて、実施形態に係る照明機器１０の通電積算時間算出処理の一例を説明する。図３は、実施形態に係る照明機器１０の通電積算時間算出処理の一例を示すタイムチャートである。なお、ここでは、調光制御基板１４の通電積算時間（以下、「第１通電積算時間」とする。）およびパネル基板１１の通電積算時間（以下、「第２通電積算時間」とする。）を記載し、パネル基板１１が交換される場合を一例として説明する。また、光源部１２は、同一の色および同一の調光レベルで点灯するものとする。
【００４２】
時間ｔ０において、分電盤１００から電力が供給され、基板１１、１３、１４が通電状態となる。そのため、通電時間に応じて第１通電積算時間および第２通電積算時間が増加する。また、光源部１２が点灯されるため、点灯時間に応じて点灯積算時間も増加する。
【００４３】
時間ｔ１において、光源部１２が消灯され、光源部１２が非点灯状態となり、また、基板１１、１３、１４への電力の供給が停止され、基板１１、１３、１４が非通電状態となると、第１通電積算時間、第２通電積算時間および点灯積算時間は、非通電状態および非点灯状態となる直前の値に維持される。
【００４４】
時間ｔ２において、基板１１、１３、１４が通電状態となるが、ここでは光源部１２は点灯されず非点灯状態のままである。そのため、通電時間に応じて第１通電積算時間および第２通電積算時間は増加するが、点灯積算時間は増加しない。時間ｔ３となると、光源部１２が点灯され点灯状態となり、点灯時間に応じて点灯積算時間は増加する。
【００４５】
時間ｔ４において、光源部１２が非点灯状態になると、点灯積算時間は、非点灯状態となる直前の値に維持される。時間ｔ５において、基板１１、１３、１４が非通電状態となると、第１通電積算時間および第２通電積算時間は、非通電状態となる直前の値に維持される。
【００４６】
時間ｔ５以降も、このようにして、基板１１、１３、１４への通電時間および光源部１２の点灯時間に基づき、第１通電積算時間、第２通電積算時間および点灯積算時間が増加する。
【００４７】
その後、十分な時間が経過し、時間ｔ１０において、基板１１、１３、１４が通電状態となり、光源部１２が点灯状態となると、上述したように第１通電積算時間、第２通電積算時間および点灯積算時間が増加する。
【００４８】
時間ｔ１１において、光源部１２が非点灯状態となると、点灯積算時間は、非点灯状態となる直前の値に維持される。また、第２通電積算時間は、パネル基板１１の寿命に近い所定時間となる。
【００４９】
時間ｔ１２において、基板１１、１３、１４が非通電状態となると、第１通電積算時間および第２通電積算時間は、非通電状態となる直前の値に維持される。
【００５０】
ここで、オペレータなどによって、パネル基板１１が交換され、時間ｔ１３において、パネル基板１１が交換された旨のリセット信号が受信されると、第２通電積算時間はリセットされ、ゼロになる。
【００５１】
時間ｔ１４において、基板１１、１３、１４が通電状態となると、第１通電積算時間は記憶されていた値から増加する。一方、第２通電積算時間は、リセットされたためゼロから増加する。
【００５２】
このように、照明機器１０は、基板１１、１３、１４が交換されリセット信号を受信すると、交換された基板１１、１３、１４の通電積算時間をリセット信号に応じてリセットし、基板１１、１３、１４毎に異なる通電積算時間を算出し、記憶する。
【００５３】
［通電積算時間算出処理の手順］
続いて、図４を用いて、実施形態に係る照明機器１０による通電積算時間算出処理を説明する。図４は、実施形態に係る照明機器１０による通電積算時間算出処理の手順を示すフローチャートである。
【００５４】
照明機器１０は基板１１、１３、１４が通電状態となっており、リセット信号を受信した場合（Ｓ１０；Ｙｅｓ）には、リセット信号に応じた基板１１、１３、１４の通電積算時間をリセットする（Ｓ１１）。
【００５５】
照明機器１０は、リセット信号を受信していない場合（Ｓ１０；Ｎｏ）およびリセット信号に応じて通電積算時間がリセットされた後は、基板１１、１３、１４の通電時間を計測し（Ｓ１２）、基板１１、１３、１４の各通電積算時間を算出する（Ｓ１３）。
【００５６】
照明機器１０は、算出した各通電積算時間を記憶部１７に記憶し（Ｓ１４）、通信部１６によって操作卓５０に各通電積算時間の情報を送信する（Ｓ１５）。これにより、操作卓５０に各通電積算時間が表示される。
【００５７】
［実施形態の効果］
上述してきたように、実施形態に係る照明機器１０は、交換可能な基板１１、１３、１４の通電時間を計測し、基板１１、１３、１４毎に通電積算時間を算出し、記憶する。基板１１、１３、１４の寿命は、基板１１、１３、１４への通電積算時間によって決まる。このため、実施形態に係る照明機器１０によれば、基板１１、１３、１４毎に通電積算時間を算出することで、寿命が近くなった基板１１、１３、１４を検出することができる。
【００５８】
また、実施形態に係る照明機器１０によれば、寿命が近くなった基板１１、１３、１４が検出され、寿命が近くなった基板１１、１３、１４が交換されることで、光源部１２の寿命が基板１１、１３、１４の寿命よりも長い場合に、光源部１２が寿命を迎えるまで使用することができ、照明機器１０を長く使用することができる。
【００５９】
また、実施形態に係る照明機器１０は、基板１１、１３、１４が交換された後に、基板１１、１３、１４毎に通電積算時間を算出し、記憶する。このため、実施形態に係る照明機器１０によれば、基板１１、１３、１４が交換された場合でも、その後の基板１１、１３、１４の通電積算時間を正確に算出し、寿命が近くなった基板１１、１３、１４を正確に検出することができる。
【００６０】
また、実施形態に係る照明機器１０は、交換された基板１１、１３、１４に対応する通電積算時間毎にリセットする。このため、実施形態に係る照明機器１０によれば、基板１１、１３、１４が交換された場合でも、その後の基板１１、１３、１４の通電積算時間を正確に算出し、寿命が近くなった基板１１、１３、１４を正確に検出することができる。
【００６１】
また、実施形態に係る照明システム１は、操作卓５０に通電積算時間に基づいた情報を表示する。このため、実施形態に係る照明システム１によれば、オペレータは、寿命が近くなった基板１１、１３、１４を確認することができる。
【００６２】
［変形例］
上記実施形態に係る照明システム１では、通電積算時間を操作卓５０に表示したが、寿命が近くなった基板１１、１３、１４について、寿命情報として寿命が近くなったことを示す警告を操作卓５０に表示してもよい。このように、実施形態に係る照明システム１では、通電積算時間を含め、寿命情報が操作卓５０に表示されればよい。また、実施形態に係る照明システム１では、寿命が近くない基板１１、１３、１４の通電積算時間を操作卓５０に表示せずに、寿命が近くなった基板１１、１３、１４の通電積算時間や警告のみを操作卓５０に表示してもよい。このような表示を行う判定は、操作卓５０で行われてもよく、照明機器１０で行われてもよい。これによっても、オペレータは、寿命が近くなった基板１１、１３、１４を確認することができる。
【００６３】
上記実施形態において、交換可能な通電部材として、基板１１、１３、１４を一例として説明したが、交換可能な通電部材は、その他にも、他の基板や、光源部１２や、無線モジュールや、基板１１、１３、１４などの通電状態を示すＬＥＤなどを含んでもよい。すなわち、交換可能な通電部材は、照明機器１０において、通電され、かつ交換可能な部材であればよい。
【００６４】
また、上記実施形態において、照明機器１０は、基板１１、１３、１４毎に通電積算時間を算出したが、基板１１、１３、１４が最初に交換されるまでは、全ての基板１１、１３、１４について１つの通算積算時間を算出し、基板１１、１３、１４で共通の通算積算時間とし、基板１１、１３、１４のうちいずれかが交換され、リセット信号を受信した後に、基板１１、１３、１４毎に通算積算時間を算出してもよい。
【００６５】
また、上記実施形態において、調光制御基板１４が通電状態および非通電状態になると、パネル基板１１や電源制御基板１３が通電状態および非通電状態となる一例を説明したが、基板１１、１３、１４毎に通電状態および非通電状態が変更されてもよい。すなわち、通電される部材毎に通電状態および非通電状態が変更されてもよい。この場合、計測部１８Ｂは、例えば、基板１１、１３、１４毎に通電時間を計測する。なお、上記実施形態においても、計測部１８Ｂは、基板１１、１３、１４毎に通電時間を計測してもよい。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１      照明システム
１０    照明機器
１１    パネル基板
１２    光源部
１３    電源制御基板
１４    調光制御基板
１５    制御部
１６    通信部
１７    記憶部
１８    制御部
１８Ａ  照明制御部
１８Ｂ  計測部
１８Ｃ  積算部
５０    操作卓
【図１】
2018163793.tif 000003
【図２】
2018163793.tif 000004
【図３】
2018163793.tif 000005
【図４】
2018163793.tif 000006